(57)【要約】【課題】便器本体を容易に掃除することが可能となる洋式便器を提供する。【解決手段】便器本体１の外表面部２を複数の表面部材３に分割して設置状態において取り外し得るようになした洋式便器。又、洋式便器の外表面部２は、格子状に分割して縦横に複数配列した表面部材３で形成されている。更に、表面部材３の上下の端面は、外側より内側の方が高くなっていることを特徴としている。又、外表面部は、横方向にのみ複数配列した表面部材で形成されていてもよい。【選択図】図１
2007262701.tif 000002
【特許請求の範囲】
【請求項１】
便器本体の外表面部を複数の表面部材に分割して設置状態において取り外し得るようになした洋式便器。
【請求項２】
外表面部は、格子状に分割して縦横に複数配列した表面部材で形成されていることを特徴とする請求項１記載の洋式便器。
【請求項３】
表面部材の上下の端面は、外側より内側の方が高くなっていることを特徴とする請求項１又は２記載の洋式便器。
【請求項４】
外表面部は、横方向にのみ複数配列した表面部材で形成されていることを特徴とする請求項１記載の洋式便器。
【発明の詳細な説明】
【技術分野】
【０００１】
本願発明は、外表面を分離して取り外すことが可能である洋式便器に関するものである。
【背景技術】
【０００２】
従来から、洋式便器の便器本体における外表面は尿垂れ、洗浄水の飛散等により汚れやすいものであり、雑巾等で拭き取るか、ブラシ等で磨くなどして掃除していた。
【０００３】
又、特開平１０−７２８６０号公報（特許文献１）に示されるように、便器本体９０の外表面９１がカバー部材９２で覆われている洋式便器が知られている（図９）。この洋式便器は、便器本体９０の外表面９１に沿った形状をした一つのカバー部材９２が、便器本体９０の外表面９１にビス９３止めされ、更に、カバー部材９２及び便器本体９０のボルト孔９４にボルトを通すことで、両者を一体にして壁に取り付けるようになっている。
【０００４】
したがって、洋式便器が設置された状態では、カバー部材９２を取り外すことは不可能であり、カバー部材９２を掃除する際も、便器本体９０に取り付けられたままの状態で掃除していた。
【特許文献１】特開平１０−７２８６０号公報
【発明の開示】
【発明が解決しようとする課題】
【０００５】
上記従来例である一般的な洋式便器にあっては、便器本体の外表面を掃除する際には、腰を落とした状態で雑巾やブラシ等を用いて掃除する必要があるため、大きな疲労を伴う作業となる。更に、便器本体の外表面を水洗いして掃除することは非常に困難であった。
【０００６】
又、カバー部材９２が備えられた洋式便器においても、設置状態ではカバー部材９２を取り外すことが不可能であるため、同様の課題が生じていた。仮に設置状態においてカバー部材９２を取り外すことができたとしても、カバー部材９２は一つの部材で便器本体９０の外表面９１を覆う大型なものであるため、便器本体９０から取り外す作業が困難なものとなり、取り外したカバー部材９２を水洗い等により掃除する作業も容易ではない。
【０００７】
本願発明は、上記背景技術に鑑みて発明されたものであり、その課題は、便器本体を容易に掃除することが可能となる洋式便器を提供することである。
【課題を解決するための手段】
【０００８】
上記課題を解決するために、本願請求項１記載の発明では、便器本体の外表面部を複数の表面部材に分割して設置状態において取り外し得るようになしている。
【０００９】
又、本願請求項２記載の発明では、上記請求項１記載の洋式便器において、外表面部は、格子状に分割して縦横に複数配列した表面部材で形成されていることを特徴としている。
【００１０】
又、本願請求項３記載の発明では、上記請求項１又は２記載の洋式便器において、表面部材の上下の端面は、外側より内側の方が高くなっていることを特徴としている。
【００１１】
又、本願請求項４記載の発明では、上記請求項１記載の洋式便器において、外表面部は、横方向にのみ複数配列した表面部材で形成されていることを特徴としている。
【発明の効果】
【００１２】
本願請求項１記載の洋式便器においては、便器本体の外表面部を複数の表面部材に分割して取り外すことで、楽な体勢で外表面部を拭いたり磨いたりすることができると共に、容易に外表面部の水洗いをすることができる。又、外表面部が複数の表面部材に分割されているため、外表面部全体が一つの大型な表面部材で形成されている場合と比べて、一つ一つの表面部材の取り外しが容易となり、取り外した表面部材は水洗い等により容易に掃除することができる。更に、外表面部の汚れた部分のみを取り外して掃除することが可能であるため、効率良く掃除することができる。
【００１３】
又、本願請求項２記載の洋式便器においては、外表面部は、格子状に分割して縦横に複数配列した表面部材で形成されているため、一つ一つの表面部材は比較的小さなものとなる。したがって、取り外した表面部材を容易につけおき洗いすることが可能となり、外表面部の掃除がより楽になると共に、便器本体をより清潔に保つことができる。
【００１４】
又、本願請求項３記載の洋式便器においては、表面部材の上下の端面は、外側より内側の方が高くなっているため、尿垂れ、洗浄水の飛散等により外表面部に付着した水滴が、表面部材の継目から外表面部の内側へと浸透するのを防ぐことができる。
【００１５】
又、本願請求項４記載の洋式便器においては、外表面部は、横方向にのみ複数配列した表面部材で形成されているため、上下に接続する表面部材がない構造となる。したがって、比較的汚れの溜まりやすい部位となる表面部材の上下の継目が存在しないため、外表面部に汚れを溜めにくくすることができる。
【発明を実施するための最良の形態】
【００１６】
図１〜４は、本願請求項１〜３に対応した第一の実施形態である洋式便器を示している。この洋式便器は、便器本体１の外表面部２が格子状に縦横に複数配列した表面部材３に分割され、設置状態において取り外し得るようになしている。又、表面部材３の上下の端面は、外側より内側の方が高くなっている。
【００１７】
以下、この実施形態の洋式便器を、より具体的詳細に説明する。図１に示すように、この洋式便器は、便器本体１に便座と、便蓋７と、局部洗浄および便座を暖める装置ケース８とからなる本体付属部品が取り付けられたものである。便器本体１の外表面部２は、格子状に縦横に分割した複数の表面部材３で形成されており、一部の表面部材３の外側面３１に塗装を施すことで、外表面部２に模様を付している。
【００１８】
各表面部材３は、樹脂、陶器等で形成された板状のパネル３３と、パネル３３の上下左右の端面を覆うパッキン３４と、パネル３３に埋め込まれた鉄板３６とからなっており、便器本体１の内壁面５から取り外せるようになっている。
【００１９】
図２（ａ）の垂直断面図に示すように、パッキン３４は山形の形状において、外側或いは内側の一方に凸部３５を形成するようにパネル３３の端面に設けられている。この凸部３５は、表面部材３の上端面３７においては内側に、下端面３８においては外側に設けられており、表面部材３の上下の端面が外側よりも内側の方が高くなるようになしている。このパッキン３４の構造はパネル３３の左右の端面においても同様であり、左右の隣り合うパネル３３において、一方は外側に他方は内側に凸部３５を形成するようにパッキン３４が設けられている。なお、パッキン３４の材質は、ゴム等の柔軟性のあるものであり、パッキン３４の形状は図２（ｂ）、（ｃ）に示すような形状であってもよい。
【００２０】
便器本体１の内壁面５には、図３に示すように、バネ５３や磁石５２等からなる一般的なプッシュプル式の接着部５１が設けられており、表面部材３はパネル３３に埋め込まれた鉄板３６と接着部５１の磁石５２との磁力により内壁面５に固定されている。表面部材３を取り外す際は、図３（ａ）に示すように、まず、パネル３３を内側に押し込むことで、接着部５１と共に表面部材３が外側へ突き出す。次に、図３（ｂ）に示すように、突き出た表面部材３を、周囲から指をかけて外側に引き出し、図３（ｃ）に示すように、接着部５１から引き剥がすことで、表面部材３を取り外す。
【００２１】
取り外した表面部材３を再び内壁面５に取り付ける際には、表面部材３の内側面３２を突き出した接着部５１に接触させ、接着部５１と共に内側に押し込んで取り付ける。なお、表面部材３の取り付け及び取り外しの際には、パッキン３４の凸部３５が隣接する表面部材３のパッキン３４と接触することになるが、凸部３５が折れ曲がることで問題なく表面部材３の取り付け及び取り外しができるようになっている。
【００２２】
又、各表面部材３の全て或いは一部を同じ寸法、形状で形成するか、又は、表面部材３の内側面３２と便器本体１の内壁面５とに番号を付すことで、複数の表面部材３を同時に取り外した場合であっても、迷うことなく表面部材３を取り付けることができるようになしている。
【００２３】
したがって、この実施形態の洋式便器においては、便器本体１の外表面部２を取り外すことで、楽な体勢で外表面部２を拭いたり磨いたりすることができると共に、容易に外表面部２の水洗いをすることができる。
【００２４】
又、外表面部２は複数の表面部材３に分割して取り外すことができるため、外表面部２全体が一つの大型な表面部材３で形成されている場合と比べて、一つ一つの表面部材３の取り外しが容易となり、取り外した表面部材３は水洗い等により容易に掃除することができる。更に、外表面部２の汚れた部分のみを取り外して掃除することが可能であるため、効率良く掃除することができる。
【００２５】
又、外表面部２は、格子状に分割して縦横に複数配列した表面部材３で形成されているため、一つ一つの表面部材３は比較的小さなものとなる。したがって、取り外した表面部材３を容易につけおき洗いすることが可能となり、外表面部２の掃除がより楽になると共に、便器本体１をより清潔に保つことができる。
【００２６】
又、表面部材３の上下の端面は、図２に示すように、外側より内側の方が高くなっているため、尿垂れ、洗浄水の飛散等により外表面部２に付着した水滴６が、表面部材３の継目３９から外表面部２の内側へと浸透するのを防ぐことができる。
【００２７】
又、表面部材３の上下左右の端面を柔軟性のあるパッキン３４で形成しているため、便器本体１の内壁面５に隙間なく表面部材３を敷き詰めることができ、更に、表面部材３の取り付け及び取り外しをスムーズに行うことができる。
【００２８】
又、接着部５１はプッシュプル式であり、パネル３３を押し込むことで表面部材３を取り外すことが可能であるため、表面部材３に取手を設ける必要がなく、外観を悪くすることなく表面部材３を備えることができる。
【００２９】
又、鉄板３６はパネル３３に埋め込まれて設けられているため、内側面３２に露出して設けられる場合と比べて、磁石５２を劣化させることなく表面部材３の水洗いやつけおき洗いができる。
【００３０】
又、一部の表面部材３の外側面３１に塗装を施し、外表面部２に模様を付すことで、便器本体１の外観を良くすることができる。又、パネル３３の端面に設けられたパッキン３４は、パネル３３の外側面３１と同じ色になっており、外表面部２においてパッキン３４の部分が目立ち外観を悪くすることのないようになしている。
【００３１】
なお、便器本体１の外表面部２は、図４に示すようにパズル型の表面部材３が格子状に複数配列されている形状であってもよい。このパズル型の表面部材３においても、パッキンの構造及び内壁面への固定方法は図２、３に示したものと同様であるものとする。したがって、この場合は、便器本体１の外観は更に良くなるものである。
【００３２】
図５〜７は、本願請求項１〜３に対応した第二の実施形態である洋式便器を示している。なお、ここでは、上記第一の実施形態と相違する事項についてのみ説明し、その他の事項（構成、作用効果等）については、上記第一の実施形態と同様であるのでその説明を省略する。
【００３３】
本実施形態における表面部材３は、図５に示すように、二枚の板を重ねたような形状になっており、下板４１が上板４０から上方向及び左右どちらか一方向に食み出した状態で重なっている。このような形状をした複数の表面部材３が、合決により組み合わされて、便器本体１の内壁面５に格子状に配列して備えられている。表面部材３が上下に組み合った状態を表す垂直断面図を図６（ａ）に示す。これは、左右に組み合った状態を表す水平断面においても同様である。なお、表面部材３の端面の形状は、図６（ｂ）、（ｃ）に示すような形状であってもよい。
【００３４】
又、表面部材３は、表面部材３に埋め込まれた鉄板３６と、便器本体１の内壁面５に設けられた磁石５２との磁力により内壁面５に固定されている。なお、この表面部材３の固定の方法は、吸盤や面ファスナー等によるものであってもよい。又、表面部材３の下板４１は樹脂やゴム等の柔軟性のある材料で形成されており、上板４０は樹脂や陶器等で形成されている。更に、表面部材３の上端面３７、下端面３８及び左右の端面は、シリコンやフッ素等の配合された高分子でコーティングする、或いは、粗面化するなどして撥水加工が施されている。
【００３５】
表面部材３を取り外す際には、表面部材３の外側面３１に設けられた取手凹部４２を手掛かりにして取り外す。手掛かりとしては、取手凹部４２以外に取手凸部４３を設けていてもよい。取手凸部４３は図７に示すように、表面部材３の内部において外側面３１と面一になるように設けられており、取り外しの際に、軸部４４を軸にして回動させ、前面に突出させることで手掛かりとして用いられるものであってもよい。
【００３６】
したがって、この実施形態の洋式便器においては、表面部材３の下板４１が柔軟性のある樹脂やゴム等で形成されているため、表面部材３の取り付け及び取り外しをスムーズに行うことができる。又、表面部材３の端面は、撥水加工を施しているため、各表面部材３の継目３９から水滴６が浸透するのを防ぐことができる。
【００３７】
又、取手凸部４３を表面部材３の内部に設けた場合は、取手が常に表面部材３から突出して設けられている場合と比べて、外観を悪くすることなく取手を設けることができる。
【００３８】
図８は、本願請求項１、４に対応した第三の実施形態である洋式便器を示している。なお、ここでは、上記第一の実施形態と相違する事項についてのみ説明し、その他の事項（構成、作用効果等）については、上記第一の実施形態と同様であるのでその説明を省略する。
【００３９】
本実施形態において便器本体１の外表面部２は、図８に示すように、前表面部材４５と両側面部材４６との三つに分割されており、これらの表面部材３（前表面部材４５、両側面部材４６）が横方向のみに配列して形成されている。各表面部材３は、便器本体１の内壁面５に設けられたガイド５４に、表面部材３に設けられたガイド溝４８を納めることで位置合わせされる。
【００４０】
又、表面部材３は、表面部材３の内側面３２と、便器本体１の内壁面５とに設けられた面ファスナー４７をくっつけることで固定されている。なお、表面部材３の固定方法は、内側面３２に鉄板３６を埋め込み、内壁面５に磁石５２を設けることで、磁力により固定するものであってもよい。
【００４１】
したがって、この実施形態の洋式便器においては、外表面部２は、横方向にのみ複数配列した表面部材３で形成され、上下に接続する表面部材がない構造となるため、比較的汚れの溜まりやすい部位となる表面部材の上下の継目が存在しないので、外表面部２に汚れを溜めにくくすることができる。
【００４２】
又、尿垂れ等により比較的汚れやすい部位となる前表面部材４５を、両側面部材４６とは分けて取り外すことができるため、便器本体１の外表面部２を効率良く掃除することができる。
【００４３】
なお、この実施形態においては、本願請求項２、３の効果は奏さない。
【図面の簡単な説明】
【００４４】
【図１】本願発明の第一の実施形態である洋式便器を示す分解斜視図。
【図２】同洋式便器における外表面部を示す断面図。
【図３】同洋式便器における表面部材の取り外し状態を示す断面図。
【図４】パズル型の表面部材を有する洋式便器を示す斜視図。
【図５】本願発明の第二の実施形態である洋式便器を示す分解斜視図。
【図６】同洋式便器における外表面部を示す断面図。
【図７】同洋式便器における表面部材の取手構造を示す断面図。
【図８】本願発明の第三の実施形態である洋式便器を示す分解斜視図。
【図９】従来例である洋式便器を示す分解斜視図。
【符号の説明】
【００４５】
１  便器本体
２  外表面部
３  表面部材
【図１】
2007262701.tif 000003
【図２】
2007262701.tif 000004
【図３】
2007262701.tif 000005
【図４】
2007262701.tif 000006
【図５】
2007262701.tif 000007
【図６】
2007262701.tif 000008
【図７】
2007262701.tif 000009
【図８】
2007262701.tif 000010
【図９】
2007262701.tif 000011